(57)【要約】【課題】尿吸収体を効率良く使用することができ、悪臭を発生させ難いペット用トイレを提供すること。【解決手段】本発明のペット用トイレ１は、トイレ本体２、及びトイレ本体２内を上層部分Ａと下層部分Ｂとに区画する仕切部材３を備え、上層部分Ａに便床を形成する粒状物２０を収容すると共に下層部分Ｂに尿吸収体２１を収容して使用するものである。下層部分Ｂに、尿吸収体２１の収容部６が水平方向に複数並べて配置されている。隣接する収容部６，６の境界（仕切壁４５）の上方に、隣接する収容部６，６内の何れかに尿を誘導する尿誘導部材７が設けられている。【選択図】図１
2010239914.tif 000002
【特許請求の範囲】
【請求項１】
トイレ本体、及び該トイレ本体内を上層部分と下層部分とに区画する仕切部材を備え、該上層部分に便床を形成する粒状物を収容すると共に該下層部分に尿吸収体を収容して使用するペット用トイレであって、
前記下層部分に、前記尿吸収体の収容部が水平方向に複数並べて配置されており、
隣接する前記収容部の境界の上方に、隣接する該収容部内の何れかに尿を誘導する尿誘導部材が設けられているペット用トイレ。
【請求項２】
前記尿誘導部材が前記仕切部材の下方に設けられている請求項１記載のペット用トイレ。
【請求項３】
前記尿誘導部材が前記仕切部材の上方に設けられている請求項１記載のペット用トイレ。
【請求項４】
前記尿誘導部材によって前記上層部分が水平方向に複数に区画されており、これにより該上層部分に前記粒状物の収容部が複数形成されている請求項１〜３の何れかに記載のペット用トイレ。
【請求項５】
前記収容部が前記トイレ本体から引き出し可能になされている請求項１〜４の何れかに記載のペット用トイレ。
【発明の詳細な説明】
【技術分野】
【０００１】
本発明は、猫や犬等のペットの排泄物の処理に用いられるペット用トイレに関する。
【背景技術】
【０００２】
猫や犬等のペットの排泄物を処理するためのペット用トイレとして、トイレ本体を簀の子等の液通過構造を有する仕切部材により上下に区画して、上層部分に例えば猫砂やトイレ砂等の便床を形成する粒状物を収容し、下層部分のトレーに例えば吸水性樹脂、植物性繊維、パルプ等からからなる尿吸収マット等の尿吸収体を収容して使用するものが知られている（例えば、特許文献１〜３参照）。これらのペット用トイレは、上層部分に収容された粒状物が、ペットが排泄する尿を素早く通過させ、通過した尿を簀の子の通液孔を介して下層部分に落下させ、落下した尿を下層部分のトレーに収容された尿吸収体に積極的に吸収させるものである。
【０００３】
ところで、猫や犬等は、ペット用トイレの便床の一定の場所で排泄する習性があるため、その下方に位置する尿吸収体の一部しか使用されないことがある。例えば便床全体が平面視して矩形形状の場合、猫は主に、その長手方向一端側又は他端側で排泄するため、尿吸収体の使用部分も長手方向端部に集中する傾向がある。そのため、尿吸収体をトレーから取り出し、前後の位置を入れ替えて、尿吸収体の汚れていない部分をペットが排尿する場所にくるようにして使用されることがある。このような尿吸収体の入れ替え作業により、尿吸収体における尿を吸収していない部分を有効に利用できることになり、尿吸収体の使用期間を長くすることができる。しかし、尿吸収体の入れ替え作業は、手に尿が付着するおそれがあるため衛生面で問題があり、また、尿の吸収により尿吸収体の重量が増え且つ剛性が低下していて尿吸収体の取り扱いが困難になっているため、多大な手間を要する。
【０００４】
特許文献４には、尿吸収体の入れ替え作業を簡便且つ衛生的に行えるようにしたペット用トイレが記載されている。特許文献４に記載のペット用トイレは、尿吸収体としての吸液シートを収容するトレーが、トイレ本体の前方から引き出されて取り外され、前後の位置を入れ替えてトイレ本体に収容できるようになっており、吸液シートをトレーから取り出すことなく簡単にその前後方向を入れ替えることができるようになっている。
【先行技術文献】
【特許文献】
【０００５】
【特許文献１】特開平７−６７４８９号公報
【特許文献２】特開２００３−１８０１８２号公報
【特許文献３】特開２００２−８４９０９号公報
【特許文献４】特開２００７−０００１２４号公報
【発明の概要】
【発明が解決しようとする課題】
【０００６】
特許文献４に記載のペット用トイレは、尿吸収体を収容するトレーが複数に区画されておらず、該トレーの底面全体を被覆可能な大きさを有する吸液シートを用い、その前後方向を該トレー毎入れ替えることによって、吸液シート全体を有効活用できるようにしている。そのため、特許文献４に記載のペット用トイレは、吸液シート全体に尿を吸収させるのに要する時間が長く（即ち吸液シートの交換サイクルが長く）、吸液シートを効率良く使用するという点で改良の余地があった。また、吸液シートが尿を吸収した状態で長時間放置されるため、悪臭が発生し易いという問題があった。
【０００７】
従って本発明の課題は、尿吸収体を効率良く使用することができ、悪臭が発生し難いペット用トイレを提供することにある。
【課題を解決するための手段】
【０００８】
本発明は、トイレ本体、及び該トイレ本体内を上層部分と下層部分とに区画する仕切部材を備え、該上層部分に便床を形成する粒状物を収容すると共に該下層部分に尿吸収体を収容して使用するペット用トイレであって、前記下層部分に、尿吸収体の収容部が水平方向に複数並べて配置されており、隣接する前記収容部の境界の上方に、隣接する該収容部内の何れかに尿を誘導する尿誘導部材が設けられているペット用トイレを提供することにより、前記課題を解決したものである。
【発明の効果】
【０００９】
本発明のペット用トイレは、尿吸収体を効率良く使用することができ、悪臭を発生させ難い。
【図面の簡単な説明】
【００１０】
【図１】図１は、本発明のペット用トイレの第１実施形態の使用状態における長手方向に沿った断面を模式的に示す断面図である。
【図２】図２は、図１に示すペット用トイレの模式的な分解斜視図である。
【図３】図３は、本発明のペット用トイレの第２実施形態の図１相当図である。
【図４】図４は、図３に示すペット用トイレにおける上層部分を構成する容器の模式的な斜視図である。
【発明を実施するための形態】
【００１１】
以下、本発明のペット用トイレについて、その好ましい一実施形態である第１実施形態に基づき図１及び図２を参照しながら説明する。図１は、本発明のペット用トイレの第１実施形態の使用状態（粒状物及び尿吸収体を収容した状態）における長手方向に沿った断面（隣接する尿吸収体の収容部の境界と直交する方向に沿った断面）を模式的に示す断面図、図２は、図１に示すペット用トイレの模式的な分解斜視図である。第１実施形態のペット用トイレ１は、トイレ本体２、及びトイレ本体２内を上層部分Ａと下層部分Ｂとに区画する仕切部材３を備え、上層部分Ａに便床を形成する粒状物２０を収容すると共に下層部分Ｂに尿吸収体２１を収容して使用するものである。
【００１２】
第１実施形態のペット用トイレ１は、図１及び図２に示すように、上部開口を有する外容器４と、外容器４内に着脱自在に装着される内容器５とを備えている。外容器４及び内容器５は、何れも平面視して略矩形形状（即ち上部開口及び底部４１ｃが略矩形形状）であり、その四辺の周縁部が全て起立した形態を有するトレー状のものである。外容部４の側壁部４１ａ，４１ｂ及び底部４１ｃによって囲まれた内側は、内容器５の収容部及び尿吸収体２１の収容部となり、内容器５の側壁部５１ａ，５１ｂ及び底部５１ｃによって囲まれた内側は、粒状物２０の収容部となる。尚、外容器４の側壁部４１ａ及び内容器５の側壁部５１ａは、トイレ本体２（外容器４、内容器５）の長手方向に延びる側壁部であり、外容器４の側壁部４１ｂ及び内容器５の側壁部５１ｂは、該長手方向と直交する方向（幅方向）に延びる側壁部である。
【００１３】
外容器４は、図１に示すように、側壁部４１ａ，４１ｂの上端部にフランジ部４２を有している。フランジ部４２には垂下壁部４３が設けられており、この垂下壁部４３の外周面には、内容器５の後述する嵌合凹部５４に嵌合する嵌合凸部４４が設けられている。また、内容器５は、側壁部５１ａ，５１ｂの上端部にフランジ部５２を有している。フランジ部５２には、図１に示すように垂下壁部５３が設けられており、垂下壁部５３の内周面には、外容器４の嵌合凸部４４が嵌合する嵌合凹部５４が設けられている。尚、図１には、トイレ本体２の長手方向に延びる側壁部４１ａ及び側壁部５１ａが図示されていないが、これらの側壁部４１ａ，５１ａについても、前述した側壁部４１ｂ，５１ｂと同様に構成されている。
【００１４】
内容器５の底部５１ｃは、液通過構造を有する仕切部材３を含んで構成されている。即ち、仕切部材３は内容器５の一部である。仕切部材３は、平面視して略矩形形状の板状部材からなり、該仕切部材３を厚み方向に貫通する、平面視して略矩形形状の貫通孔３１を多数有している。多数の貫通孔３１は、仕切部材３の長手方向及び幅方向それぞれに所定間隔を置いて配置されている。貫通孔３１は、上層部分Ａ（内容器５内）の液を下層部分Ｂに通過させるための通液孔として機能する。
【００１５】
外容器４及び内容器５の大きさは特に制限されない。外容器４は、例えば長辺が３００〜６００ｍｍ、短辺が２００〜４００ｍｍの平面矩形形状を有し、側壁部４１ａ，４１ｂの高さが７０〜２００ｍｍである。また内容器５は、例えば長辺が２９５〜５９５ｍｍ、短辺が１９５〜３９５ｍｍの平面矩形形状を有し、側壁部５１ａ，５１ｂの高さが３０〜１７０ｍｍである。尚、ここに示した外容器４及び内容器５の各部の寸法は、内寸法（容器４，５の内側の寸法）である。
【００１６】
ペット用トイレ１は、図１に示すように外容器４の上方から内容器５をはめ込んだ状態において、内容器５の底部５１ｃを構成する仕切部材３と外容器４の底部４１ｃとの間（下層部分Ｂ）に、尿吸収体２１の収容空間Ｓが形成されるよう構成されている。収容空間Ｓには、尿吸収体２１の収容部６が水平方向（図１の左右方向、内容器５の長手方向）に複数（第１実施形態では２つ）並べて配置されている。収用空間Ｓは、尿吸収体２１が尿を吸収して膨らんでも仕切部材３に接触せず且つ使用期間内に尿が溢れることがないような、十分な尿吸収体収用部の容量が確保できるように、適宜設計されることが望ましい。
【００１７】
収容部６は、図２に示すように平面視して略矩形形状（即ち上部開口及び底部６１ｃが略矩形形状）であり、その四辺の周縁部が全て起立した形態を有するトレー状のものである。収容部６の側壁部６１ａ，６１ｂ及び底部６１ｃによって囲まれた内側が、尿吸収体２１の収容部となる。収容部６の側壁部６１ａ，６１ｂは、その高さが収容部６に収容される尿吸収体２１の厚みを超え且つその上端が仕切部材３に接触しないようになされている。仕切部材３と側壁部６１ａ，６１ｂの上端との離間距離Ｈ１（図１参照）は、好ましくは３〜４０ｍｍ、更に好ましくは５〜１０ｍｍである。
【００１８】
複数の収容部６は、外容器４の底部４１ｃの上面に載置される。底部４１ｃの上面には、該上面から上方（仕切部材３）に向かって立設する仕切壁４５が設けられており、仕切壁４５によって該上面は、複数の収容部６と同数の領域（第１実施形態では２つの領域）に区画されている。仕切壁４５は、外容器４の底部４１ｃに複数の収容部６を水平方向（外容器４の長手方向）に複数並べて配置したときに、隣接する収容部６，６の境界に位置し、平面視して外容器４の幅方向（長手方向と直交する方向）に延びる直線状であり、外容器４内の幅方向の全長に亘っている。
【００１９】
但し、仕切壁４５は、後述するようにトイレ本体２から引き出し可能になされている収容部６の出し入れを妨げないように設置されていれば良く、図２に示す如き、外容器４内の幅方向の全長に亘るものに制限されず、外容器４内の幅方向において部分的に設置されていても良い。例えば、外容器４内の幅方向の全長に満たない、１又は複数の仕切壁が、該幅方向に沿って列を成すように設置されていても良い。また、仕切壁４５の高さは特に制限されず、図１に示すように収容部６の側壁部６１ａ，６１ｂの高さよりも低くしても良く、あるいは後述する尿誘導部材７の機能を妨げない範囲で、側壁部６１ａ，６１ｂの高さよりも高くし、更には仕切部材３に当接させても良い。
【００２０】
収容部６は、トイレ本体２から引き出し可能になされている。図２に示すように、収容部６の引き出し方向Ｘは、外容器４（トイレ本体２）の長手方向と直交する方向（幅方向）と平行である。外容器４の長手方向に沿って延びる、相対向する一対の側壁部４１ａ，４１ａのうちの一方には、下層部分Ｂに相当する部分に、複数の収容部６の数と同数の開口部４２（第１実施形態では２つの開口部）が該長手方向に所定間隔を置いて列を成すように形成されている。開口部６の形状及び大きさは、収容部６の引き出し方向Ｘと直交する方向の断面形状及び大きさと略同じになされており、開口部４２から収容部６を引き出しあるいは挿入することができるようになされている。収容部６の引き出し方向Ｘの長さは、外容器４の幅方向の長さと略同じである。収容部６の引き出し方向Ｘの前端側の側壁部６１ａの中央部には、収容部６を引き出す際に指を引っ掛けることが可能な凹部６２が形成されている。
【００２１】
図１に示すように、隣接する収容部６，６の境界の上方には、隣接する収容部６，６内の何れかに尿を誘導する尿誘導部材７が設けられている。第１実施形態においては、尿誘導部材７は仕切部材３（内容器５の底部５１ｃ）の下方（下層部分Ｂ）に設けられている。より具体的には、尿誘導部材７は、仕切部材３の下面（下層部分Ｂ側の面）３ｂに取り付けられており、隣接する収容部６，６の境界に位置する仕切壁４５及びその近傍の側壁部６１ｂ，６１ｂの上方（真上）に位置し、仕切壁４５の全長（外容器４内の幅方向の全長）に亘って連続している。尿誘導部材７は液通過構造を有していない。
【００２２】
このように、隣接する収容部６，６の境界の上方に尿誘導部材７が設けられていることにより、上層部分Ａに存する尿あるいは尿を吸収して自己崩壊した粒状物２０は、下層部分Ｂにおいて該境界及びその近傍には落下せずに、これらの部分の両側に位置する収容部６内の尿吸収体２１上に落下するようになり、これにより斯かる部分の尿付着による汚染が防止される。本発明のように、収容スペースの底部に尿吸収体を水平方向に複数並べて配置する形態は、特許文献４に記載の如く、収容スペースの底部の略全域を被覆し得る大きさを有する尿吸収体を該底部に１枚配置する形態に比して、尿吸収体全体に尿を吸収させる（即ち尿吸収体を使い切る）のに要する時間が短く、尿吸収体を効率的に使用することができるという利点を有する反面、隣接する尿吸収体の境界に両尿吸収体の接触を妨げる仕切壁４５や側壁部６１の如き壁材を設けた場合には（斯かる壁材は、効率的な尿吸収体の使用の観点からは設けることが望ましい）、該壁材に尿が付着して汚染されるという不都合を引き起こすおそれがある。これに対し、前述の如き尿誘導部材７を設けることにより、斯かる不都合を解消しつつ、尿吸収体を効率的に使用することが可能となる。
【００２３】
尿誘導部材７は、図１に示すように、隣接する収容部６，６の境界の上方から各収容部６，６の内方に向けて斜め下方に延びる斜面７１，７１を有している。より具体的には、尿誘導部材７は、図１に示すように、トイレ本体２の長手方向（隣接する収容部６，６の境界と直交する方向）に沿った断面視において略逆Ｖ字状部分を有しており、その逆Ｖ字状部分の頂部が、隣接する収容部６，６の境界に位置する仕切壁４５の真上に位置し且つ仕切部材３の下面３ｂと接合されており、且つ下端（逆Ｖ字状部分の先端）が収容部６の上方に位置している。尿誘導部材７の斜面７１は、この仕切部材３との接合部（頂部）と下端との間に存している。
【００２４】
尿を収容部６内により確実に誘導する観点から、尿誘導部材７の下端（逆Ｖ字状の先端）と該尿誘導部材７の下方（真下）に位置する収容部６の側壁部６１ｂの上端とはある程度離間していることが好ましく、その離間距離Ｈ２（図１参照）は、好ましくは２ｍｍ以上、更に好ましくは５〜１０ｍｍである。また同様の観点から、斜面７１の鉛直方向に対する傾斜角度〔斜面７１よりも下方に位置し且つ鉛直方向に延びる仮想直線（図１中、点線で示す直線）と斜面７１とのなす角度〕θは、好ましくは３０°以上、更に好ましくは９０〜１２０°である。
【００２５】
ペット用トイレ１の構成部材（仕切部材３、外容器４、内容器５、収容部６、尿誘導部材７等）の材質は、耐食性を有するものであれば特に制限はない。軽量で取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、ペット用トイレ１の構成部材は、表面に撥水加工や抗菌加工が施されたものを用いることがより好ましい。
【００２６】
上層部分Ａに収容される粒状物２０としては、当該技術分野において猫砂やトイレ砂等として用いられている粒状物を特に制限無く用いることができる。粒状物２０は、好ましくは、植物由来の素材の粉砕物、合成樹脂、粘土鉱物等の成分の１種以上を含んで構成され、成形された成形物が挙げられる。粒状物２０の形状は、図１に示す如き円筒形状に限定されず、例えば球状、立方体、直方体等とすることができる。粒状物２０としては、本出願人の先の出願に係る特許第３７８８６２５号公報に記載の排泄物処理剤を用いることもできる。
【００２７】
下層部分Ｂ（収容部６）に収容される尿吸収体２１としては、当該技術分野において尿を吸収保持し得るものを特に制限無く用いることができる。尿吸収体２１は、好ましくは、パルプ繊維、粘土鉱物系材料、高分子吸収材料等の成分の１種以上を含む原料を板状（シート状）に成形したものである。板状の尿吸収体２１の平面視における形状及びその大きさは、収容部６の底部６１ｃの平面視における形状（矩形形状）及びその大きさと略同じである。板状の尿吸収体２１の厚みは、好ましくは３〜２０ｍｍである。尿吸収体２１としては、本出願人の先の出願に係る特許第３３３８７００号公報に記載の排尿処理成形物を用いることもできる。
【００２８】
第１実施形態のペット用トイレ１は、図１に示すように、仕切部材３の上面３ａの全面に適量の粒状物２０を敷設して上層部分Ａに粒状物２０の層を形成すると共に、下層部分Ｂの各収容部６の底部６１ｃの全面に尿吸収体２１を敷設して使用する。上層部分Ａに収容された粒状物２０は、ペットが排泄する尿を素早く通過させ、この通過した尿は、液通過構造を有する仕切部材３の貫通孔３１を介して下層部分Ｂの尿吸収体２１上に落下し、該尿吸収体２１に吸収される。第１実施形態のペット用トイレ１は、犬、猫、ウサギ、ハムスター等の動物用トイレとして使用できる。
【００２９】
第１実施形態のペット用トイレ１によれば、尿吸収体２１の収容部６が水平方向（トイレ本体２の長手方向）に複数並べて配置されており、これにより複数の尿吸収体２１が、外容器４の底部４１ｃ上に仕切壁４５及びその近傍の側壁部６１ｂを挟んで並べて敷設されるため、特許文献４に記載の如く、吸液シートを収容するトレーの底面全体を被覆可能な大きさを有する１枚の吸液シートを用いる場合に比して、尿吸収体２１全体に尿を吸収させるのに要する時間が短く（即ち尿吸収体２１の交換サイクルが短く）、尿吸収体２１を効率的に使用することができる。また、尿吸収体２１が尿を吸収した状態で放置される時間が比較的短いため、悪臭（尿臭）が発生し難い。また、収容部６がトイレ本体２から引き出し可能になされているため、尿吸収体２１の交換作業を容易且つ衛生的に行うことができる。
【００３０】
また、下層部分Ｂにおいて、隣接する収容部６，６の境界に位置する仕切壁４５及びその近傍の側壁部６１ｂ，６１ｂは、尿吸収能を有しておらず尿が付着することが望ましくない部分であるところ、該部分の上方には、該部分への尿の落下を防止し且つ該部分の両側に位置する収容部６，６内の何れかに尿を誘導する尿誘導部材７が設けられているため、第１実施形態のペット用トイレ１は、そのような不都合を発生し難く、衛生的に使用できる。
【００３１】
次に、本発明の他の実施形態について説明する。後述する他の実施形態については、先に詳述した第１実施形態と異なる構成部分を主として説明し、同様の構成部分は同一の符号を付して説明を省略する。特に説明しない構成部分は、第１実施形態についての説明が適宜適用される。
【００３２】
図３は、本発明のペット用トイレの第２実施形態の図１相当図（ペット用トイレの長手方向に沿った断面図）、図４は、図３に示すペット用トイレにおける上層部分（内容器）の模式的な斜視図である。第２実施形態のペット用トイレ１は、尿誘導部材の構成及び配置の点で第１実施形態と異なっている。
【００３３】
第２実施形態においては、尿誘導部材８は仕切部材３（内容器５の底部５１ｃ）の上方（上層部分Ａ）に設けられている。より具体的には、尿誘導部材８は、仕切部材３の上面（上層部分Ａ側の面）３ａに取り付けられており、隣接する収容部６，６の境界に位置する仕切壁４５及びその近傍の側壁部６１ｂ，６１ｂの上方（真上）に位置し、仕切壁４５の全長（内容器５内の幅方向の全長）に亘って連続している。尿誘導部材８は液通過構造を有していない。
【００３４】
このように、尿誘導部材８が仕切部材３の上方（上層部分Ａ）に設けられていることにより、第１実施形態のように仕切部材３の下方（下層部分Ｂ）に尿誘導部材を設ける場合に比して、仕切部材３と収容部６の側壁部６１ａ，６１ｂの上端との離間距離Ｈ１（図３参照）を短くすることができるため、トイレ本体２全体の高さを低く設計することが可能となり、これによりトイレ全体のコンパクト化による製造コストの低減を図ることができる。また、トイレ２全体の高さが低くなることで、子猫等の小型のペットでも容易に使用できるようになる。
【００３５】
尿誘導部材８は、図３に示すように、隣接する収容部６，６の境界（仕切壁４５）の上方から各収容部６，６の内方に向けて斜め下方に延びる斜面８１，８１を有している。より具体的には、尿誘導部材８は、図３に示すように、トイレ本体２の長手方向（隣接する収容部６，６の境界と直交する方向）に沿った断面視において略二等片三角形形状部分を有しており、その二等片三角形形状部分の頂部が、隣接する収容部６，６の境界に位置する仕切壁４５の真上に位置し、且つ下部が仕切部材３の上面３ａと接合されている。斜面８１の鉛直方向に対する傾斜角度θ（図３参照）は、第１実施形態における斜面７１の傾斜角度θ（図１参照）と同じ範囲に設定することが好ましい。
【００３６】
また第２実施形態においては、図３及び図４に示すように、尿誘導部材８によって上層部分Ａが水平方向に複数に区画されており、これにより上層部分Ａに粒状物２１の収容部が複数形成されている。より具体的には、尿誘導部材８は、その前記二等片三角形形状部分の頂部から内容器５の上部開口に向かって立設し且つ内容器５内の幅方向の全長に亘って延びる仕切壁８２を有しており、この仕切壁８２によって、内容器５内が長手方向に２つの領域に区画され、各領域がそれぞれ独立した粒状物２０の収容部となっている。
【００３７】
このように、尿誘導部材８によって上層部分Ａが水平方向に複数に区画されていることにより、粒状物２０の収容部が複数独立して存するようになり、これにより粒状物２０の尿付着による汚染範囲を限定することが可能となり、各該収容部単位で粒状物２０の交換作業を行うことが可能となる。このような、上層部分Ａを水平方向に複数に区画することによる効果を一層確実に奏させるようにする観点から、仕切壁８２は、内容器５内に所定量の粒状物２０を収容したときに、該粒状物２０の層から該仕切壁８２の先端が突出可能な高さを有していることが好ましい。
【００３８】
以上、本発明をその好ましい実施形態に基づき説明したが、本発明は前記実施形態に制限されない。例えば、外容器４及び内容器５の平面視における形状（上部開口及び底部の形状）は、前記実施形態の如き矩形形状に限定されず、円形、楕円形等であっても良い。但し、ペットの排泄に関する習性を考慮すると、平面視して一方向が相対的に長い形状を有していることが好ましい。また、収容部６は３つ以上あっても良い。
【００３９】
また、前記実施形態では、収容部６の引き出し方向Ｘは、外容器４の幅方向と平行であったが、外容器４の長手方向と平行であっても良い。その場合、引き出し可能な収容部６を外容器４（トイレ本体２）に挿入するための開口部は、例えば、外容器４の幅方向に沿って延びる、相対向する一対の側壁部４１ｂ，４１ｂのうちの一方又は両方に設けることができる。但し、このように収容部６の引き出し方向を外容器４の長手方向と平行とした場合でも、隣接する収容部６，６の境界（仕切壁４５）は、前記実施形態のように、外容器４の幅方向と平行であることが好ましい。その理由は、猫等は、平面視して矩形形状の便床（内容器５の底部５１ｃ）において、その長手方向一端側又は他端側で排泄する習性があるところ、複数の尿吸収体２１のうちの１つに集中的に尿を吸収させて尿吸収体の使用効率を高めるためには、尿吸収体の収容部６を便床の長手方向に沿って複数並べて配置することが好ましいためである。
【００４０】
また、本発明に係る尿吸収体の複数の収容部は、トイレ本体から引き出し可能になされていなくても良く、例えば、下層部分Ｂを構成する外容器４の如きトレー状の箱体の底部の上面が仕切壁で複数に区画されて形成されていても良く、この各区画が尿吸収体の収容部となる。
【符号の説明】
【００４１】
１  ペット用トイレ
２  トイレ本体
３  仕切部材
４  外容器
５  内容器
６  収容部
７，８  尿誘導部材
２０  粒状物
２１  尿吸収体
Ａ  上層部分
Ｂ  下層部分
【図１】
2010239914.tif 000003
【図２】
2010239914.tif 000004
【図３】
2010239914.tif 000005
【図４】
2010239914.tif 000006